(57)【要約】【課題】  熟練を必要とせず、誰でも容易に組立ができるコンタクト組立治具及びコンタクト組立方法を提供することを目的とする。【解決手段】  円筒状の外枠５と外枠５の内径より小さな外径を有する円筒状の内筒３との間に、コンタクトチップ６の端部同士をコイルバネ７を介して重ね合わせて挿入し、重ね合わせたコンタクトチップ６を内筒３と外径が内筒の外径よりも大きく外枠５の内径より小さな受け台２とに支持されるように受け台２に載置し、コンタクトチップ６の外周面と外枠５の内周との間に、楔形をしたコンタクトチップ押さえ８を差し込み、重ね合わせたコンタクトチップ６を内筒３の外周に押し付けてコンタクトチップ６同士を固定する操作を繰り返すことにより、円環状に並ぶコンタクトチップ押さえ８でコンタクトチップ６を内筒３の外周に円環状に固定する。【選択図】        図５
2006311757.tif 000002
【特許請求の範囲】
【請求項１】
複数個のコンタクトチップを、隣り合うコンタクトチップの端部をコイルバネを介して重ね合わせた状態で、円環状に組み立てるコンタクト組立治具において、
ベース板、
上記ベース板に載置される円筒状または円柱状の受け台、
上記受け台上に上記受け台の中心軸と同軸に載置され、上記受け台の外径より小さな外径を有する円筒状または円柱状の内部コア、
上記受け台及び内部コアの中心軸と同軸に配設される内周が円筒状で内径が上記受け台の外径よりも大きな外枠、
上記外枠の内径と上記受け台の外径との差よりも小さな最大肉厚を有する楔形をしたコンタクトチップ押さえを備え、
上記コンタクトチップの端部同士を上記コイルバネを介して重ね合わせて、重ね合わせた上記コンタクトチップを上記受け台と上記内部コアの外周との間に支持されるように上記受け台に載置し、上記コンタクトチップ押さえを上記載置したコンタクトチップの外周面と上記外枠との間に差し込み、上記重ね合わせたコンタクトチップを上記内筒の外周に押し付けてコンタクトチップ同士を固定する操作を繰り返すことにより、円環状に並ぶ上記コンタクトチップ押さえで上記コンタクトチップを上記受け台と上記内部コアの外周との間に円環状に固定することを特徴とするコンタクト組立治具。
【請求項２】
外径が上記外枠の内径よりも小さく内径がリング状に並ぶ上記コンタクトチップ押さえの内径よりも大きな円筒部を有するコンタクトチップ保持筒を備え、
上記コンタクトチップ保持筒の円筒部で上記コンタクトチップ押さえを押して上記外枠と上記コンタクトチップとの間から抜き出すとともに、上記円環状に固定されたコンタクトチップを上記内部コアとともに抜き取ることを特徴とする請求項１記載のコンタクト組立治具。
【請求項３】
複数個のコンタクトチップを、隣り合うコンタクトチップの端部をコイルバネを介して重ね合わせた状態で、円環状に組み立てるコンタクト組立方法において、
内周が円筒状の外枠と上記外枠の内周側に上記外枠と同軸に配置した円筒状または円柱状の内部コアとの間に上記コンタクトチップの端部同士を上記コイルバネを介して重ね合わせて挿入し、上記重ね合わせたコンタクトチップを上記内部コアの外周に支持されるように配置し、上記コンタクトチップと上記外枠の内周との間に、楔形をしたコンタクトチップ押さえを差し込み、上記重ね合わせたコンタクトチップを上記内筒の外周に押し付けてコンタクトチップ同士を固定する操作を繰り返すことにより、円環状に並ぶ上記コンタクトチップ押さえで上記コンタクトチップを上記内部コアの外周に円環状に固定することを特徴とするコンタクト組立方法。
【請求項４】
円筒部を有するコンタクトチップ保持筒の円筒部で、上記コンタクトチップ押さえを押して上記外枠と上記コンタクトチップとの間から抜き出すとともに、上記円環状に固定されたコンタクトチップを上記内部コアとともに抜き取ることを特徴とする請求項３記載のコンタクト組立方法。
【発明の詳細な説明】
【技術分野】
【０００１】
本発明は、ガス絶縁開閉装置等の導体同士を接続するためのコンタクトを組み立てるためのコンタクト組立治具及びコンタクト組立方法に関するものである。
【背景技術】
【０００２】
ガス絶縁開閉装置等の導体同士の接続に用いるコンタクトには、例えば、特許文献１に開示されているように、円板の周辺部に所定のピッチで切り欠き部を有する少なくとも３枚のガイド板の切り欠き部に係合され、両端に凸状の接触部を有し、接触部が対向するように円筒状に配列された板状の接触子片と、接触子片の外周から接触子片を締め付ける円環状のコイルバネを備え、導体を両端の接触部に差し込んだときに、コイルバネによって差し込んだ導体に接触部の所定の接触圧力が与えられるようにしたもの等、種々のものがある。
【０００３】
また、ガス絶縁開閉装置等の導体同士の接続に用いるコンタクトには、複数個の同一形状のコンタクトチップを、コンタクトチップ同士の間にコイルバネを挟み込んだ状態で円環状に組み立て、円環状に組み立てたコンタクトを円筒状の導体内壁へ組み込むものがある。
【０００４】
従来、上記円環状のコンタクトの組立においては、隣り合うコンタクトチップの一方の内面と、コンタクトチップの他方の外面との間にコイルバネを挟み込み、コイルバネを圧縮した状態で二重円筒の間の隙間内に押し込む動作を順次繰り返して、コンタクトチップを二重円筒の間の隙間内に保持して、最終的にコンタクトチップ同士がコイルバネを圧縮した状態で円環状に整列された状態に組み上げる。
【０００５】
【特許文献１】特開平７−２９８４６２号公報（第１頁、図１）
【発明の開示】
【発明が解決しようとする課題】
【０００６】
上記複数個の同一形状のコンタクトチップとコイルバネを用いた円環状のコンタクトの従来の組立は熟練を要し、熟練作業者でない作業者が組立作業を行う場合には多くの時間を要するという問題があった。
【０００７】
本発明は、上記のような問題を解決するためになされたものであり、上記複数個の同一形状のコンタクトチップとコイルバネを用いた環状のコンタクトの組立において、熟練を必要とせず、誰でも容易に組立ができるコンタクト組立治具及びコンタクト組立方法を提供することを目的とする。
【課題を解決するための手段】
【０００８】
本発明に係るコンタクト組立治具は、複数個のコンタクトチップを、隣り合うコンタクトチップの端部をコイルバネを介して重ね合わせた状態で、円環状に組み立てるコンタクト組立治具において、
ベース板、
上記ベース板に載置される円筒状または円柱状の受け台、
上記受け台上に上記受け台の中心軸と同軸に載置され、上記受け台の外径より小さな外径を有する円筒状または円柱状の内部コア、
上記受け台及び内部コアの中心軸と同軸に配設される内周が円筒状で内径が上記受け台の外径よりも大きな外枠、
上記外枠の内径と上記受け台の外径との差よりも小さな最大肉厚を有する楔形をしたコンタクトチップ押さえを備え、
上記コンタクトチップの端部同士を上記コイルバネを介して重ね合わせて、重ね合わせた上記コンタクトチップを上記受け台と上記内部コアの外周との間に支持されるように上記受け台に載置し、上記コンタクトチップ押さえを上記載置したコンタクトチップの外周面と上記外枠との間に差し込み、上記重ね合わせたコンタクトチップを上記内筒の外周に押し付けてコンタクトチップ同士を固定する操作を繰り返すことにより、円環状に並ぶ上記コンタクトチップ押さえで上記コンタクトチップを上記受け台と上記内部コアの外周との間に円環状に固定するものである。
【０００９】
本発明に係るコンタクト組立方法は、複数個のコンタクトチップを、隣り合うコンタクトチップの端部をコイルバネを介して重ね合わせた状態で、円環状に組み立てるコンタクト組立方法において、
内周が円筒状の外枠と上記外枠の内周側に上記外枠と同軸に配置した円筒状または円柱状の内部コアとの間に上記コンタクトチップの端部同士を上記コイルバネを介して重ね合わせて挿入し、上記重ね合わせたコンタクトチップを上記内部コアの外周に支持されるように配置し、上記コンタクトチップと上記外枠の内周との間に、楔形をしたコンタクトチップ押さえを差し込み、上記重ね合わせたコンタクトチップを上記内筒の外周に押し付けてコンタクトチップ同士を固定する操作を繰り返すことにより、円環状に並ぶ上記コンタクトチップ押さえで上記コンタクトチップを上記内部コアの外周に円環状に固定するものである。
【発明の効果】
【００１０】
本発明に係るコンタクト組立治具及びコンタクト組立方法によれば、熟練を必要とせず、誰でも容易に組立ができるコンタクト組立治具及びコンタクト組立方法を提供することができる。
【発明を実施するための最良の形態】
【００１１】
実施の形態１．
図１及び図２は、本発明に係るコンタクト組立治具における実施の形態１を示す斜視図であり、図１は主要部を分解した状態を示し、図２は図１に示した主要部を組み立てた状態を示している。図３ないし図１０は、本実施の形態１におけるコンタクトチップを円環状に組み立てるコンタクト組立方法を説明するための斜視図である。
【００１２】
図１及び図２に示したように、本実施の形態１のコンタクト組立治具は、治具の各部品が載置されるベース板１、ベース板１の四隅にたてられる足４、足４に支持された円筒状の外枠５、外枠５の中心軸と同軸にベース板１上に載置され、内周の全周にわたって切り欠き部２ａが設けられた受け台２、受け台２の切り欠き部２ａに外枠５の中心軸と同軸に載置される内筒（内部コア）３と、図４、図５及び図６に示した組立時に使用する楔形をしたコンタクトチップ押さえ８とを備えている。受け台２は、外径が外枠５の内径より小さい円筒であり、外枠５の内周と受け台２の外周との間の隙間は、コンタクトチップ押さえ８の最大厚さより大きくなるようにしている。
【００１３】
コンタクトチップ６（図３ないし図６参照）は、例えば、銅に銀メッキを施したＺ形状のものであり、図６に示したように円環状に組み立てたときに隣り合うコンタクトチップ６が対向する面には、図３ないし図５に示したように、コイルバネ７が嵌り込む穴６ａが設けられている。図示していないが、コンタクトチップ６の両端上下面に突起が設けられている。
【００１４】
また、内筒３の外径は、受け台２の外径より小さく、コンタクトチップ６を組み立てる際にコンタクトチップ６が受け台２の上面と内筒３の外周面との間に支持されるように構成している。
【００１５】
以下、コンタクト組立方法について説明する。
まず、図３に示したように、コンタクト組立治具の各部品を組み立て、図４に示したように、コンタクトチップ６の穴６ａにコイルバネ７を嵌め込み、コイルバネ７を嵌め込んだ面と反対側のコンタクトチップ６の面を内筒３の外周に接触させて受け台２の上面と内筒３の外周面との間に支持されるように、コンタクトチップ６を受け台２の上に載置する。さらに、図５に示したように、順次、別のコンタクトチップ６の穴６ａにコイルバネ７を嵌め込み、受け台２の上に載置するとともに、コイルバネ７を嵌め込んでいない方の穴６ａ（図では見えていない）に、先に受け台２の上に載置したコンタクトチップ６のコイルバネ７をはめ込み、コンタクトチップ押さえ８をコンタクトチップ６外周面と外枠５との間に差し込み、コンタクトチップ６を内筒３の外周に押し付けてコンタクトチップ６同士を固定し、図６に示したように、コンタクトチップ６を円環状に組み立てる。
【００１６】
以上のように、本実施の形態１のコンタクト組立治具及びコンタクト組立方法では、内筒３と外枠５との間の大きなスペースの中で、コイルバネ７を介したコンタクトチップ６同士を連結しておき、コンタクトチップ押さえ８でコンタクトチップ６同士を固定する方法であるので、熟練を必要とせず、誰でも容易に組み立て作業を行うことができる。
【００１７】
図７ないし図１０は、図６に示したコンタクト組立治具内で組み上げられたコンタクトをコンタクト組立治具から取り出す工程を説明する斜視図である。
【００１８】
図７に示したように、外径が外枠５の内径よりも小さく内径がリング状に並ぶコンタクトチップ押さえ８の内径よりも大きな押しリング９でコンタクトチップ押さえ８全体を押し込む。この時、コンタクトチップ押さえ８が楔形であるので、押しリング９が下方に進むにつれて、コイルバネ７が縮み、コンタクト組立治具内で組み上げられたコンタクトの外径が小さくなる。次に、図８に示したように、外径が外枠５の内径よりも小さく内径がリング状に並ぶコンタクトチップ押さえ８の内径よりも大きな円筒部を備えたコンタクトチップ保持筒１０で、コンタクトチップ押さえ８全体を押し込むことによって、図９に示したように、コンタクトチップ押さえ８が外枠５と受け台２との間の隙間から抜け落ち、図１０に示したように、円環状に組み上げられたコンタクトチップ６が内筒３とともにコンタクトチップ保持筒１０内に取り出される。
【００１９】
円環状に組み上げられたコンタクトチップ６の上下面には、コンタクトチップ６の上下面に設けられた突起が嵌り込む溝が形成された円環状の板が配設され、図１１に示したように、内筒３とコンタクトチップ保持筒１０とが抜き出されて、円環状に組み上げられたコンタクトチップ６がガス絶縁開閉装置等の導体の内壁に装着される。
【００２０】
なお、上記実施の形態１では、外枠５を足４で支持するようにしたが、直接ベース板１上に載置されるようにしてもよい。
【００２１】
また、外枠５は内周面が円筒であればよく、外周面形状は四角柱等どのような形状であってもよい。
【００２２】
また、内筒（内部コア）３及び受け台２を円筒とした例を示したが、円柱でもよく、受け台２には内筒３を外枠５の中心軸と同軸に配設するための円形の凹部等の位置決め手段を設ける。
【産業上の利用可能性】
【００２３】
本発明に係るコンタクト組立治具及びコンタクト組立方法は、ガス絶縁開閉装置等の導体同士を接続するためのコンタクトを組み立てることに有効に利用することができる。
【図面の簡単な説明】
【００２４】
【図１】本発明に係るコンタクト組立治具における実施の形態１を示す斜視図である。
【図２】本発明に係るコンタクト組立治具における実施の形態１を示す斜視図である。
【図３】実施の形態１におけるコンタクトチップを円環状に組み立てるコンタクト組立方法を説明するための斜視図である。
【図４】実施の形態１におけるコンタクトチップを円環状に組み立てるコンタクト組立方法を説明するための斜視図である。
【図５】実施の形態１におけるコンタクトチップを円環状に組み立てるコンタクト組立方法を説明するための斜視図である。
【図６】実施の形態１におけるコンタクトチップを円環状に組み立てるコンタクト組立方法を説明するための斜視図である。
【図７】実施の形態１におけるコンタクトチップを円環状に組み立てるコンタクト組立方法を説明するための斜視図である。
【図８】実施の形態１におけるコンタクトチップを円環状に組み立てるコンタクト組立方法を説明するための斜視図である。
【図９】実施の形態１におけるコンタクトチップを円環状に組み立てるコンタクト組立方法を説明するための斜視図である。
【図１０】実施の形態１におけるコンタクトチップを円環状に組み立てるコンタクト組立方法を説明するための斜視図である。
【図１１】コンタクトチップが円筒状の導体の内壁に装着された状態を示す斜視図である。
【符号の説明】
【００２５】
１  ベース板、２  受け台、２ａ  切り欠き、３  内筒（内部コア）、４  足、
５  外枠、６  コンタクトチップ、６ａ  穴、７  コイルバネ、
８  コンタクトチップ押さえ、９  押しリング、１０  コンタクトチップ保持筒、
１１  導体。
【図１】
2006311757.tif 000003
【図２】
2006311757.tif 000004
【図３】
2006311757.tif 000005
【図４】
2006311757.tif 000006
【図５】
2006311757.tif 000007
【図６】
2006311757.tif 000008
【図７】
2006311757.tif 000009
【図８】
2006311757.tif 000010
【図９】
2006311757.tif 000011
【図１０】
2006311757.tif 000012
【図１１】
2006311757.tif 000013